(57)【要約】      （修正有）【課題】冬季、ゴルフ場での池の氷上のゴルフボールを容易に回収する氷上ゴルフボール回収具を提供する。【解決手段】メジャーの先端に取り付け使用する氷上ゴルフボール回収具であって、略Ｕ字状に開口した底板２と、底板２の外周淵部から垂直に立ち上がる側壁部３と、底板２の開口部の上部であって、側壁部３の上端部を支点として回動自在に開閉するフラップ４からなり、側壁部３の後端にはメジャーの先端部を固定するための取り付け部６を有する。【選択図】図１
2016030182.tif 000002
【特許請求の範囲】
【請求項１】
メジャーの先端に取り付け使用する氷上ゴルフボール回収具であって、略Ｕ字状に開口した底板と、該底板の外周淵部から垂直に立ち上がる側壁部と、前記底板の開口部の上部であって、前記側壁部の上端部を支点として回動自在に開閉するフラップからなり、
前記フラップは、側壁内部方向へは、自由に開閉するが、外部方向へは開閉させないためのストッパが前記側壁部の所定位置に設けられ、
前記側壁部の内部はゴルフボールを回収するとともに、前記フラップの回動を可能とする領域を有し、
前記側壁部の後端にはメジャーの先端部を固定するための取り付け部を有することを特徴とする氷上ゴルフボール回収具。
【請求項２】
前記フラップが、前記側壁部の下端部を支点として回動自在に開閉するフラップ支持部材を介して備えられ、前記フラップは、該フラップ支持部材の端部に回動自在に軸支され、該フラップ支持部材は前記フラップの当接により前記ストッパの役割を果たし、前記側壁部、及び底板部に設けた固定部によって、使用時と収納時の夫々の位置で固定可能であることを特徴とする請求項１に記載の氷上ゴルフボール回収具。
【請求項３】
前記側壁部及び底部が、前記メジャーの外周を覆う形状及び寸法を有し、ボール回収以外の不使用時にはメジャーのカバーとして機能し、該収納状態においてメジャーとしての機能を発揮することができることを特徴とする請求項１又は請求項２に記載の氷上ゴルフボール回収具。
【請求項４】
前記氷上ゴルフボール回収具の全部または一部が透過性を有する素材で形成されていることを特徴とする請求項１から請求項３のいずれかに記載の氷上ゴルフボール回収具。
【発明の詳細な説明】
【技術分野】
【０００１】
本発明は、ゴルフ場の池の氷上にあるゴルフボールを回収する技術に関し、詳しくは、氷上ゴルフボール回収具の竿部分にメジャーを利用し、略Ｕ字状の底板とその側壁と侵入方向のみ開口可能なフラップを備えた保持具を有する氷上ゴルフボール回収具技術に関するものである。
【背景技術】
【０００２】
ゴルフを楽しみたい人にとって、ゴルフ場でのプレーは快適なものであるが、ボールを回収するとなると手間が掛かる。特に真冬になると、池に氷が張り、ボールが取りにくくなる。池の上を歩いて取ろうとすれば、氷で滑り転倒し、また、氷が割れて身体が濡れる恐れがある。また、道具を使って取る方法も考えられるが、ボールの落ちている地点によっては届かないため、諦めざるを得ない場合も多く、ゴルフボールは決して安価なものではないため問題の解決には至っていない。従って、氷上のボールを容易に回収できる技術が求められている。
【０００３】
そこで、これらの問題を解決しようと、従来からも種々の技術が提案されてきた。例えば、ゴルフコース内に設けられた池の中に落ちたボールを、容易に、且つ確実に回収するために、半円状に湾曲した複数のアームを回動自在に接続し、各アームに網体を設置したゴルフボール回収具（特許文献１）が提案され、公知技術となっている。
また、ゴルフコース内の池や窪みに落ちたボールを回収するために、細長いハンドルと、ハンドルの先端にボルフボールを自由に受け取ることができる下向きの開口部を持つゴルフボール回収具（特許文献２）が提案され、公知技術となっている。
また、安価に製造可能であり、剛性材からなる短円筒の口枠であって、その内径がゴルフボールの外径よりもわずかに小さいゴルフボール拾い具（特許文献３）が提案され、公知技術となっている。
しかしながら、いずれの技術も池の中や窪みに落ちたゴルフボールを回収するものであり、滑りやすい氷上のゴルフボールを回収するという、前記問題の解決には至っていない。
本発明者はそれらの問題を解決しようと、氷上ゴルフボール回収具にメジャーの測定部を取り付け、氷上ゴルフボール回収具を氷上に滑らせることに着目し、「氷上ゴルフボール回収具」の提案に至るものである。
【先行技術文献】
【特許文献】
【０００４】
【特許文献１】特開平９−２５３２３８
【特許文献２】特開２００７−５０７２８２
【特許文献３】特開２００７−０６８９３４
【発明の概要】
【発明が解決しようとする課題】
【０００５】
本発明は上記問題点に鑑み、氷上ゴルフボール回収具の提供を図る。
【課題を解決するための手段】
【０００６】
本発明に係る氷上ゴルフボール回収具は、メジャーの先端に取り付け使用する氷上ゴルフボール回収具であって、略Ｕ字状に開口した底板と、該底板の外周淵部から垂直に立ち上がる側壁部と、前記底板の開口部の上部であって、前記側壁部の上端部を支点として回動自在に開閉するフラップからなり、前記フラップは、側壁内部方向へは、自由に開閉するが、外部方向へは開閉させないためのストッパが前記側壁部の所定位置に設けられ、前記側壁部の内部はゴルフボールを回収するとともに、前記フラップの回動を可能とする領域を有し、前記側壁部の後端にはメジャーの先端部を固定するための取り付け部を有することを、手段とする。
【０００７】
また、本発明は、前記フラップが、前記側壁部の下端部を支点として回動自在に開閉するフラップ支持部材を介して備えられ、前記フラップは、該フラップ支持部材の端部に回動自在に軸支され、該フラップ支持部材は前記フラップの当接により前記ストッパの役割を果たし、前記側壁部、及び底板部に設けた固定部によって、使用時と収納時の夫々の位置で固定可能である手段を採用することもできる。
【０００８】
また、本発明は、前記側壁部及び底部が、前記メジャーの外周を覆う形状及び寸法を有し、ボール回収以外の不使用時にはメジャーのカバーとして機能し、該収納状態においてメジャーとしての機能を発揮する手段を採用することもできる。
【０００９】
また、本発明は、前記氷上ゴルフボール回収具の全部または一部が透過性を有する素材で形成されている手段を採用することもできる。
【発明の効果】
【００１０】
本発明に係る氷上ゴルフボール回収具によれば、携帯しやすいメジャーを兼用することによって、滑りやすい氷上にあるゴルフボールを容易に回収可能にするものである。
【図面の簡単な説明】
【００１１】
【図１】本発明に係る氷上ゴルフボール回収具の説明四面図である。
【図２】本発明に係る氷上ゴルフボール回収具の使用状態説明図である。
【図３】本発明に係る氷上ゴルフボール回収具の動作状態説明図である。
【図４】本発明に係る氷上ゴルフボール回収具の他の応用型実施例の説明図である。
【図５】本発明に係る折り畳み型氷上ゴルフボール回収具の説明図である。
【発明を実施するための形態】
【００１２】
本発明である氷上ゴルフボール回収具は、メジャーと組み合わせることで氷上のゴルフボールを容易に回収できることを最大の特徴とする。以下、実施例を図面に基づいて説明する。
なお、本実施例で示される氷上ゴルフボール回収具の全体形状及び各部の形状は、下記に述べる実施例に限定されるものではなく、本発明の技術的思想の範囲内、即ち、同一の作用効果を発揮できる形状及び寸法の範囲内で変更することができるものである。
【００１３】
図１から図３にしたがって、本発明を説明する。
図１（ａ）は、本発明の上面図を示し、図１（ｂ）は正面図を示し、図１（ｃ）は側面図を示し、図１（ｄ）は斜視図を示す。図２は、本発明の実施の図である。図３は、本発明でのゴルフボールの回収動作を示す。
氷上ゴルフボール回収具１は、底部２と側壁部３とフラップ４から構成されている。
底部２は、氷上ゴルフボール回収具１の底面に位置し、略Ｕ字状である。正面に開口しており、底部２の内側も略Ｕ字状に切り取られている。換言すれば、馬蹄形の形状であり、正面からゴルフボール９に接近した際、ゴルフボール９は底部２に乗り上げることなく、氷上ゴルフボール回収具１の内部に入ることが出来る構造である。
【００１４】
側壁部３は、氷上ゴルフボール回収具１の側面を構成し、底部２の外周淵部から垂直に立ち上がる構成である。側壁部３で構成される空間は、ゴルフボール９を十分に、余裕を持って回収できる容積を持つ。側壁部３は背面に取り付け部６を持つ。取り付け部６は、メジャー７の計測部先端７０１を挿入する部分であり、取り付け部６によって、氷上ゴルフボール回収具１とメジャー７は一体となる。また、ストッパ５を備える。ストッパ５は、フラップ４が正面方向に回動することを規制するものである。ストッパ５の位置は、フラップ４に当接可能な位置であれば、どこでも良いが、ゴルフボール９が氷上ゴルフボール回収具１内に入る際に邪魔になりにくい点でいうと、より低い位置にあると好適である。また、フラップ４の軸４０１を通す穴を上端部に設けてある。フラップ４は側壁部３に軸４０１によって支えられる構造である。
【００１５】
フラップ４は、略四角形の板状であり、上部の左右端に軸４０１を持つ。軸４０１は、側壁部３の上端部の穴に通され、軸４０１を中心にして回動する。正面方向には、ストッパ５があり、回動が規制されていることから、後方にのみ回動する。
底部２、側壁部３、フラップ４の材質は、軽量で耐水性のあるものが好適である。例えば、プラスチック等の樹脂が安価であり、好適である。
【００１６】
次に、図２、３に従って、実施の内容を説明する。ゴルフボール９が凍った池の氷上に転がっていった場合、氷が薄い場合もあるので、岸から棒等でゴルフボール９を引き寄せることになる。氷の表面は滑らかであるから、ゴルフボール９に棒が軽く接触しただけで、ゴルフボール９が再度転がりだすこともあり、ゴルフボール９の回収が面倒であることも多い。
【００１７】
氷上ゴルフボール回収具１の取り付け部６に、メジャー７の計測部先端７０１を差込、氷上ゴルフボール回収具１を氷面８に置く。メジャー７の計測部７０２は、スチール製であり、繰り出し方向については、高い剛性を持つ。使用者は、氷面８の氷上ゴルフボール回収具１をゴルフボール９の方向にまっすぐ進めるべく、メジャー７の計測部７０２を繰り出す。そうすると、計測部７０２の剛性によって、氷上ゴルフボール回収具１を比較的長い距離を安定してゴルフボール９の方向に、移動させることができる（図２）。
【００１８】
氷上ゴルフボール回収具１内部へのゴルフボール９の取り込み手順について説明する。氷上ゴルフボール回収具１をゴルフボール９方向に滑らせる（図３（ａ））。
さらに滑らせると、氷上ゴルフボール回収具１のフラップ４がゴルフボール９に当たる。フラップ４は後方に回動可能である。また、底部２の正面は、大きく切り欠いてあるので、ゴルフボール９は、抵抗を受けることなく、フラップ４を押し上げ、氷上ゴルフボール回収具１内に入る（図３（ｂ））。
【００１９】
さらに、氷上ゴルフボール回収具１を滑らせると、ゴルフボール９は氷上ゴルフボール回収具１の奥まで進み、フラップ４を通過することとなるので、フラップ４は自重により、元に位置に戻る（図３（ｃ））。
【００２０】
使用者は、フラップ４が元の位置も戻ったことを確認して、メジャー７の計測部７０２を引っ張ることによって、氷上ゴルフボール回収具１を岸方向に戻す。その際、ゴルフボール９はフラップ４に当接するが、フラップ４はストッパ５によって、正面方向には回動しないので、ゴルフボール９が、氷上ゴルフボール回収具１の外に出ることはない（図３（ｄ））。
【００２１】
また、氷上ゴルフボール回収具１の全部又は一部を透過性の素材とすることで使用性を向上させることが出来る。使用者は、氷上ゴルフボール回収具１を氷上のゴルフボール９に向けて滑らせるので、氷上ゴルフボール回収具１とゴルフボール９が接近すると、氷上ゴルフボール回収具１に隠れてゴルフボール９が見えづらいこととなる。そこで、氷上ゴルフボール回収具１の全部又は一部、例えば、側壁部３を透明にすることで、ゴルフボール９が氷上ゴルフボール回収具１内に完全に収容されたかを確認することができる。
そのため、氷上ゴルフボール回収具１の全部又は一部を透過性の素材とすることで、ゴルフボール９の回収が、より容易に行うことが出来る。
【００２２】
このように、本発明によれば、氷面８のゴルフボール９を氷上ゴルフボール回収具１とメジャー７によって容易に回収することが出来る。
【００２３】
他の応用型の実施例について図４を用いて説明する。実施例１と同様の部分は省略する。
本発明は、ゴルフボール９の回収が目的であるから、ゴルフ場での使用が前提となる。そのため、氷上ゴルフボール回収具１、メジャー７をゴルフバックに入れて持ち歩くことになる。氷上ゴルフボール回収具１も底部２も比較的小さいものであるが、よりコンパクトに収納されたほうが好適である。
【００２４】
そこで、図４に示すように、氷上ゴルフボール回収具１の大きさをメジャー７に収容可能な大きさとすることで、収納時には氷上ゴルフボール回収具１の内側にメジャー７を収容するようにすることができる。このような構成とすることで、持ち運び時の容積をほぼ半分にすることができる。
また、側壁部３の内側に緩衝材１０を配置することで、持ち運び時に氷上ゴルフボール回収具１内でメジャー７が無用に動くことを防ぐことが出来、好適である。
【００２５】
図５は、本発明に係る折り畳み型氷上ゴルフボール回収具１の説明図である。係る態様は、収納を考慮しつつ、本願発明が本来的に有する機能を阻害することのない構成とするために、前記フラップ支持部材１１を設けている。該フラップ支持部材１１は側壁部３の下端部に回動自在に軸支され、ボール回収時においては、該側壁部３の上方に向かって、垂直位置で固定部Ａ１２に保持され、ゴルフボール９が氷上ゴルフボール回収具１の底部２の底面側へと収納され、固定部Ｂ１３によって保持される構成である。なお、前記のストッパ５の機能については、特別にこれを設けなくても、前記フラップ支持部材１１よりも前記フラップ４を外方向に突き出す形状とすることで、前記フラップ支持部材１１に当てて、開閉動作を一方向のみ動作する機能を果たすことができる。
【産業上の利用可能性】
【００２６】
本発明に係る氷上ゴルフボール回収具は、冬季のゴルフ場におけるゴルフボール回収効率向上という産業上の利用可能性は大きいと解する。
【符号の説明】
【００２７】
１  氷上ゴルフボール回収具
２  底部
３  側壁部
４  フラップ
５  ストッパ
６  取り付け部
７  メジャー
８  氷面
９  ゴルフボール
１０  緩衝材
１１  フラップ支持部材
１２  固定部Ａ
１３  固定部Ｂ
４０１  軸
７０１  計測部先端
７０２  計測部
【図１】
2016030182.tif 000003
【図２】
2016030182.tif 000004
【図３】
2016030182.tif 000005
【図４】
2016030182.tif 000006
【図５】
2016030182.tif 000007